【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
少なくとも１つの基体（１０２）の温度を制御する炉であって、
取入口（１０３）と取出口（１０４）とを備えたハウジング（１００）であって、前記取入口（１０３）と前記取出口（１０４）との間には温度被制御部（１０５）が形成されている、ハウジング（１００）と、
前記少なくとも１つの基体（１０２）を担持する担持要素（１２０）であって、前記取入口（１０３）を通って前記温度被制御部（１０５）内に入り、前記温度被制御部（１０５）から前記取出口（１０４）へと通過する搬送方向（１０１）に沿って可動である、担持要素（１２０）と、
前記温度被制御部（１０５）に熱的に結合されていて、前記温度被制御部（１０５）の温度を制御する温度制御要素（１０６）であって、前記温度被制御部（１０５）は、ガス（１１０）が、前記温度被制御部（１０５）の温度を制御するために吹き込み可能であるガス注入口（１０８）を備えている、温度制御要素（１０６）と、を備えている、炉。
【請求項２】
前記温度制御要素（１０６）は、前記温度被制御部（１０５）内に、前記温度制御要素（１０６）の温度を制御して、前記基体（１０２）に熱を対流で運ぶかまたは前記基体（１０２）から熱を逃がすために、前記ガス（１１０）が前記温度制御要素（１０６）に向かって、または前記温度制御要素（１０６）内を貫通して流動可能であるように配置されている、請求項１記載の炉。
【請求項３】
前記ガス注入口（１０８）は、前記ガス（１１０）が、前記基体（１０２）が浮揚可能になるように、前記基体（１０２）に向かって流動可能であるようにして形成されている、請求項１または２に記載の炉。
【請求項４】
前記ガス注入口（１０８）は、前記ガス（１１０）が、前記搬送方向（１０１）に対して並行または垂直な成分を備えた気流方向で、前記基体（１０２）に向かって吹き込み可能であるようにして、前記温度被制御部（１０５）内に配置されている、請求項１から３のいずれか１項に記載の炉。
【請求項５】
前記温度被制御部（１０５）は、前記温度被制御部（１０５）から前記ガス（１１０）を排出するガス排出口（１０９）を備えている、請求項１から４のいずれか１項に記載の炉。
【請求項６】
前記取入口（１０３）と前記取出口（１０４）のうちの少なくとも１つは、バリアガス（１１８）が、前記温度被制御部（１０５）の周囲環境から、または前記温度被制御部（１０５）に隣接する部から前記温度被制御部（１０５）を分離するために、ガスによる障壁を生成するように注入可能である、別のガス注入口（１１１）を備えている、請求項１から５のいずれか１項に記載の炉。
【請求項７】
前記温度被制御部（１０５）内に配置され、前記温度被制御部（１０５）の温度を制御する別の温度制御要素（１０７）をさらに備えており、
前記別の温度制御要素（１０７）は、前記温度制御要素（１０６）に対して、前記基体（１０２）を前記搬送方向（１０１）に沿って前記取入口（１０３）と前記取出口（１０４）との間を移動させている時に、前記基体（１０２）が前記温度制御要素（１０６）と前記別の温度制御要素（１０７）との間にある領域を通過するようにして配置されている、請求項１から６のいずれか１項に記載の炉。
【請求項８】
前記担持要素（１２０）は、前記基体（１０２）が配置可能な担持底部（１２４）を備えていて、
前記担持底部（１２４）は、中を通る前記ガス（１１０）が前記基体（１０２）に向かって流動可能な流路を備えている、請求項１から７のいずれか１項に記載の炉。
【請求項９】
前記担持要素（１２０）に、前記担持要素（１２０）に駆動力を伝達して、前記担持要素（１２０）を前記搬送方向（１０１）に沿って駆動するように連結されている、力伝達要素（１３０）をさらに備えていて、
前記力伝達要素（１３０）は前記搬送方向（１０１）に沿って可動である、請求項１から８のいずれか１項に記載の炉。
【請求項１０】
前記力伝達要素（１３０）は、別の基体（１０２）を担持する別の担持要素（１４０）である、請求項９記載の炉。
【請求項１１】
前記力伝達要素（１３０）は、前記駆動力が前記力伝達要素（１３０）から前記担持要素（１２０）に伝達可能な押出力であるように、前記担持要素（１２０）に連結されている、請求項９または１０に記載の炉。
【請求項１２】
前記力伝達要素（１３０）は、前記駆動力が前記力伝達要素（１３０）から前記担持要素（１２０）に伝達可能な引張力であるように、前記担持要素（１２０）に連結されている、請求項９から１１のいずれか１項に記載の炉。
【請求項１３】
前記力伝達要素（１３０）は、形状はめ接続によって、前記担持要素（１２０）に連結されている、請求項９から１２のいずれか１項に記載の炉。
【請求項１４】
前記ハウジング（１００）の外部に配置されている駆動装置（１５０）をさらに備えていて、
前記力伝達要素（１３０）は、前記駆動力が前記駆動装置（１５０）から前記力伝達要素（１３０）を介して前記担持要素（１２０）に伝達されるように、前記駆動装置（１５０）に連結されている、請求項９から１３のいずれか１項に記載の炉。
【請求項１５】
前記ハウジング（１００）は、前記担持要素（１２０）を、前記ハウジング内を通るように案内する案内システムを備えていて、
前記担持要素（１２０）は、前記担持要素（１２０）が前記搬送方向（１０１）に沿って案内可能であるように、前記案内システムに連結されている、請求項１から１４のいずれか１項に記載の炉。
【請求項１６】
前記基体（１０２）を担持する前記担持要素（１２０）を少なくとも備えた担持要素構造であって、第１端と第２端とを備えた、担持要素構造をさらに備え、
前記担持要素構造は、前記第１端が前記取入口（１０３）内に、前記第２端が前記取出口（１０４）内にそれぞれ位置しているように、前記ハウジング（１００）内に形成されており、かつ配置可能である、請求項１から１５のいずれか１項に記載の炉。
【請求項１７】
前記少なくとも１つの担持要素（１２０）は、第１縁部（１２１）と、第２縁部（１２２）と、内部に前記基体（１０２）が担持可能な凹部（１２３）とを備えていて、
前記凹部（１２３）は、前記搬送方向（１０１）に沿って前記第１縁部（１２１）と前記第２縁部（１２２）との間に形成されており、
前記第１縁部は前記担持要素構造の前記第１端を構成している、請求項１６記載の炉。
【請求項１８】
前記第２縁部（１２２）は前記担持要素構造の前記第２端を構成している、請求項１７記載の炉。
【請求項１９】
前記担持要素構造は、別の基体（１０２）を担持する別の担持要素（１４０）を備えていて、
前記別の担持要素（１４０）は、別の第１縁部と、別の第２縁部と、内部に前記別の基体（１０２）が担持可能な別の凹部とを備えており、
前記別の第２縁部は前記担持要素構造の前記第２端を構成している、請求項１７記載の炉。
【請求項２０】
前記ハウジング（１００）は別の取出口（１１３）と別の温度被制御部（１１４）とを備えていて、
前記別の温度被制御部（１１４）は、前記取出口（１０４）と前記別の取出口（１１３）との間に形成されている、請求項１から１９のいずれか１項に記載の炉。
【請求項２１】
別の基体（１０２）を担持する別の担持要素（１４０）を少なくとも１つ備えた別の担持要素構造をさらに備えていて、
前記別の担持要素構造は別の第１端と別の第２端とを備えており、
前記別の担持要素構造は、前記別の第１端が前記取出口（１０４）内に、前記別の第２端が前記別の取出口（１１３）内にそれぞれ位置しているように、前記ハウジング（１００）内に形成されており、かつ配置可能である、請求項２０記載の炉。
【請求項２２】
炉によって少なくとも１つの基体（１０２）の温度を制御する方法であって、
前記少なくとも１つの基体（１０２）を担持する担持要素（１２０）を、取入口（１０３）を通って温度被制御部（１０５）内に入り、前記温度被制御部（１０５）から前記取出口（１０４）へと通過する搬送方向（１０１）に沿って移動させるステップであって、前記炉は、前記取入口（１０３）と前記取出口（１０４）とを備えたハウジング（１００）を備えており、前記取入口（１０３）と前記取出口（１０４）との間には前記温度被制御部（１０５）が形成されている、ステップと、
前記温度被制御部（１０５）に熱的に結合されている温度制御要素（１０６）によって、前記温度被制御部（１０５）の温度を制御するステップと、
前記温度被制御部（１０５）の温度を制御するガス（１１０）を、ガス注入口（１０８）を通って前記温度被制御部（１０５）内へと吹き込むステップとを含む、方法。
【請求項２３】
前記炉は、連続炉である、請求項１〜２１のいずれか１項に記載の炉。
【請求項２４】
前記形状はめ接続は、蟻継ぎ接続である、請求項１３に記載の炉。